(57)【要約】【課題】構造が複雑化することなく、コーティングフィルムの効率的な利用を可能とする画像形成システムを提供する。【解決手段】画像形成システム５０は、画像形成装置１００とコーティング装置２００とを含む。この画像形成システム５０は、コーティング処理を行なうように設定されている場合に、指定されている記録用紙に対してコーティング処理が行なわれる領域を検出し、コーティング処理が行なわれる領域における副走査方向の長さが主走査方向の長さより長いか否かを判定する（ステップＳ１０４０）。画像形成システム５０はさらに、副走査方向の長さが主走査方向の長さより長いと判定したことに応答して、指定されている記録用紙を９０度回転させた置き方の記録用紙を指定するように用紙指定の変更を提案する（ステップＳ１０６０、ステップＳ１０７０）。【選択図】図７
2015020327.tif 000002
【特許請求の範囲】
【請求項１】
記録用紙に画像を形成する画像形成装置と、コーティングフィルムを用いて、画像形成された記録用紙の表面にコーティング処理を行なうコーティング装置とを含む画像形成システムであって、
画像形成を行なう記録用紙を指定するための用紙指定手段と、
指定された記録用紙に対してコーティング処理が行なわれる領域を検出するための検出手段と、
記録用紙の搬送方向を第１の方向とし、前記第１の方向と直交する方向を第２の方向とした場合に、コーティング処理が行なわれる前記領域における前記第１の方向の長さが前記第２の方向の長さより長いか否かを判定するための判定手段と、
前記判定手段が、前記第１の方向の長さの方が前記第２の方向の長さより長いと判定したことに応答して、前記用紙指定手段が指定した記録用紙を９０度回転させた置き方の記録用紙を指定するように用紙指定の変更を提案するための提案手段とを含む、画像形成システム。
【請求項２】
前記９０度回転させた置き方の記録用紙が前記画像形成装置にセットされているか否かを判定するための手段をさらに含み、
前記提案手段は、前記判定するための手段が、前記９０度回転させた置き方の記録用紙がセットされていないと判定したことに応答して、当該記録用紙をセットしてその記録用紙を指定するように用紙指定の変更を提案するための手段を含む、請求項１に記載の画像形成システム。
【請求項３】
前記コーティング装置は、記録用紙の全面にコーティング処理を行なうことが可能であり、
前記画像形成システムはさらに、
記録用紙の全面にコーティング処理を行なうように設定するための設定手段と、
長手方向が前記第１の方向となるように記録用紙を収納し、収納された記録用紙を給紙する第１の給紙装置と、
前記第１の給紙装置に収納された記録用紙と同サイズの記録用紙であって、当該記録用紙を前記第１の給紙装置の記録用紙に対して９０度回転させた置き方で収納し、収納された記録用紙を給紙する第２の給紙装置とを含み、
前記提案手段は、前記設定手段が記録用紙の全面にコーティング処理を行なうように設定し、前記用紙指定手段が前記第１の給紙装置に収納された記録用紙を指定したことに応答して、前記第２の給紙装置に収納された記録用紙を指定するように用紙指定の変更を提案するための手段を含む、請求項１に記載の画像形成システム。
【請求項４】
前記コーティング装置は、記録用紙の特定領域にコーティング処理を行なうことが可能であり、
前記画像形成システムはさらに、記録用紙の特定領域にコーティング処理を行なうように設定するための設定手段を含み、
前記判定手段は、前記設定手段が記録用紙の特定領域にコーティング処理を行なうように設定したことに応答して、コーティング処理が行なわれる前記領域における前記第１の方向の長さが前記第２の方向の長さより長いか否かを判定するための手段を含む、請求項１に記載の画像形成システム。
【請求項５】
前記設定手段は、１枚の記録用紙の複数の特定領域にコーティング処理を行なうように設定するための手段を含み、
前記判定するための手段は、前記複数の特定領域における長手方向の長さを比較し、比較結果に基づいて、前記複数の特定領域全体として前記第１の方向の長さの方が前記第２の方向の長さより長いか否かを判定するための手段を含む、請求項４に記載の画像形成システム。
【請求項６】
表示装置をさらに含み、
前記提案手段は、前記表示装置に通知画面を表示して、当該通知画面において用紙指定の変更をユーザに提案する、請求項１〜請求項５のいずれかに記載の画像形成システム。
【発明の詳細な説明】
【技術分野】
【０００１】
本発明は、画像形成システムに関し、特に、画像形成された記録用紙にコーティング処理を行なうコーティング装置を含む画像形成システムに関する。
【背景技術】
【０００２】
近年、フルカラーの電子写真画像形成装置に対する高画質化の要求が強くなってきている。こうした状況の中、高画質な画像を記録用紙に形成した後に、光沢を与える等の目的で、その用紙上に、コーティングフィルムを用いてクリアコーティング処理を行なうコーティング装置が提案されている。このようなコーティング装置は、画像形成装置の下流側に連結され、画像形成装置とともに画像形成システムを構成する。
【０００３】
コーティング装置は、コーティングフィルムが予め巻回された供給軸と、コーティングフィルムを巻き取る巻取軸と、コーティングフィルムを記録用紙に対して押圧しながら加熱するサーマルヘッドとを含む。こうしたコーティング装置では、記録用紙を一定量送り出しながら、サーマルヘッドの熱によってコーティングフィルムを溶融することにより、記録用紙の表面をコーティングする。
【０００４】
画像形成システムでは、ユーザの様々な要求に応えるために、種々のサイズの記録用紙に対して処理可能な構成とするのが望まれる。その場合、コーティング装置のコーティングフィルムは、使用可能な最大サイズの記録用紙に対応可能な幅のものを用いる必要がある。しかし、記録用紙にコーティング処理を行なう場合、フィルムの幅のうち記録用紙に対応する範囲しかコーティングフィルムを使用しないため、コーティングフィルムが無駄になる割合が大きくなることがある。そのため、コーティングフィルムを用いるコーティング装置では、コーティングフィルムのランニングコストが高くなるという問題がある。
【０００５】
こうした問題に対して、後掲の特許文献１は、フィルムを効率的に使用してランニングコストを抑制する表面処理装置（コーティング装置）を提案する。この表面処理装置は、巻取式のフィルムを圧接させて加熱する方法によりサイズの異なる記録用紙の表面にコーティング処理を行なう表面処理装置であって、サイズの小さい記録用紙を連続処理する際に、記録用紙を搬送するレジストローラを搬送方向と直交する方向にシフトさせ、フィルムを巻き戻すことによって、フィルムの幅方向で複数の記録用紙を処理する。これにより、フィルムの無駄になる領域が少なくなるため、フィルムの効率的な利用が可能となる。
【先行技術文献】
【特許文献】
【０００６】
【特許文献１】特開２０１２−１７１２９８号公報
【発明の概要】
【発明が解決しようとする課題】
【０００７】
しかし、特許文献１に記載の表面処理装置では、フィルムの幅方向で複数の記録用紙を処理するために、レジストローラを搬送方向と直交する方向にシフトさせるための移動装置が必要となる。さらに、レジストローラを搬送方向と直交する方向にシフトさせるタイミングを検出するためのセンサ等も必要となる。そのため、特許文献１に記載の表面処理装置では、その構造が複雑になるという問題がある。
【０００８】
本発明は、上記のような課題を解決するためになされたものであり、本発明の１つの目的は、構造が複雑化することなく、コーティングフィルムの効率的な利用を可能とする画像形成システムを提供することである。
【課題を解決するための手段】
【０００９】
上記目的を達成するために、本発明の一の局面に係る画像形成システムは、記録用紙に画像を形成する画像形成装置と、コーティングフィルムを用いて、画像形成された記録用紙の表面にコーティング処理を行なうコーティング装置とを含む画像形成システムである。この画像形成システムは、画像形成を行なう記録用紙を指定するための用紙指定手段と、指定された記録用紙に対してコーティング処理が行なわれる領域を検出するための検出手段と、記録用紙の搬送方向を第１の方向とし、第１の方向と直交する方向を第２の方向とした場合に、コーティング処理が行なわれる領域における第１の方向の長さが第２の方向の長さより長いか否かを判定するための判定手段と、判定手段が、第１の方向の長さの方が第２の方向の長さより長いと判定したことに応答して、用紙指定手段が指定した記録用紙を９０度回転させた置き方の記録用紙を指定するように用紙指定の変更を提案するための提案手段とを含む。
【００１０】
指定されている記録用紙において、コーティング処理が行なわれる領域の第１の方向の長さが第２の方向の長さより長い場合、その領域はコーティングフィルムの幅方向の長さより搬送方向の長さの方が長い。この状態でコーティング処理を行なうと、コーティングフィルムの幅方向においてコーティング処理に利用されない領域が大きくなる。すなわち、コーティングフィルムの無駄になる割合が大きくなる。このような場合、本画像形成システムは、指定された記録用紙を９０度回転させた置き方の記録用紙を指定するように用紙指定の変更をユーザに提案する。ユーザが用紙指定を変更することにより、コーティング処理が行なわれる領域も９０度回転するため、当該領域はコーティングフィルムの幅方向の長さが搬送方向の長さより長くなる。この状態でコーティング処理を行なうことにより、コーティングフィルムの幅方向におけるコーティング処理に利用されない領域を小さくできる。すなわち、コーティングフィルムの無駄になる割合を低減できる。これにより、コーティングフィルムを効率よく利用できる。さらに、コーティングフィルムを効率的に利用するために、別途、他の装置（例えば、レジストローラを搬送方向と直交する方向にシフトさせるための移動装置、センサ等）を設ける必要がないため、構造が複雑化することもない。したがって、構造が複雑化することなく、コーティングフィルムのランニングコストを低減できる。その結果、システムのコストパフォーマンスを向上できる。
【００１１】
好ましくは、画像形成システムは、９０度回転させた置き方の記録用紙が画像形成装置にセットされているか否かを判定するための手段をさらに含み、提案手段は、判定するための手段が、９０度回転させた置き方の記録用紙がセットされていないと判定したことに応答して、当該記録用紙をセットしてその記録用紙を指定するように用紙指定の変更を提案するための手段を含む。
【００１２】
より好ましくは、コーティング装置は、記録用紙の全面にコーティング処理を行なうことが可能であり、画像形成システムはさらに、記録用紙の全面にコーティング処理を行なうように設定するための設定手段と、長手方向が第１の方向となるように記録用紙を収納し、収納された記録用紙を給紙する第１の給紙装置と、第１の給紙装置に収納された記録用紙と同サイズの記録用紙であって、当該記録用紙を第１の給紙装置の記録用紙に対して９０度回転させた置き方で収納し、収納された記録用紙を給紙する第２の給紙装置とを含み、提案手段は、設定手段が記録用紙の全面にコーティング処理を行なうように設定し、用紙指定手段が第１の給紙装置に収納された記録用紙を指定したことに応答して、第２の給紙装置に収納された記録用紙を指定するように用紙指定の変更を提案するための手段を含む。
【００１３】
さらに好ましくは、コーティング装置は、記録用紙の特定領域にコーティング処理を行なうことが可能であり、画像形成システムはさらに、記録用紙の特定領域にコーティング処理を行なうように設定するための設定手段を含み、判定手段は、設定手段が記録用紙の特定領域にコーティング処理を行なうように設定したことに応答して、コーティング処理が行なわれる領域における第１の方向の長さが第２の方向の長さより長いか否かを判定するための手段を含む。
【００１４】
さらに好ましくは、設定手段は、１枚の記録用紙の複数の特定領域にコーティング処理を行なうように設定するための手段を含み、判定するための手段は、複数の特定領域における長手方向の長さを比較し、その比較結果に基づいて、複数の特定領域全体として第１の方向の長さの方が第２の方向の長さより長いか否かを判定するための手段を含む。
【００１５】
さらに好ましくは、画像形成システムは、表示装置をさらに含み、提案手段は、表示装置に通知画面を表示して、当該通知画面において用紙指定の変更をユーザに提案する。
【発明の効果】
【００１６】
以上より、本発明によれば、構造が複雑化することなく、コーティングフィルムの効率的な利用を可能とする画像形成システムを容易に得ることができる。
【図面の簡単な説明】
【００１７】
【図１】本発明の第１の実施の形態に係る画像形成システムの全体構成を簡略化して示す図である。
【図２】記録用紙の置き方及び記録用紙の方向について説明するための図である。
【図３】記録用紙の置き方及び記録用紙の方向について説明するための図である。
【図４】図１に示す画像形成装置のハードウェア構成を示す制御ブロック図である。
【図５】図１に示すコーティング装置のハードウェア構成を示す制御ブロック図である。
【図６】図５に示すコーティングユニットの構造を示す図である。
【図７】図１に示す画像形成システム（画像形成装置）で実行されるプログラムの制御構造を示すフローチャートである。
【図８】用紙指定を変更するようユーザに提案する際に、画像形成装置のタッチパネルディスプレイに表示される通知画面の一例を示す図である。
【図９】用紙指定を変更するようユーザに提案する際に、画像形成装置のタッチパネルディスプレイに表示される通知画面の一例を示す図である。
【図１０】本発明の第２の実施の形態に係る画像形成システムを説明するための図（記録用紙の特定領域にコーティング処理を行なう場合の用紙指定の変更を説明するための図）である。
【図１１】本発明の第２の実施の形態に係る画像形成システムを説明するための図（記録用紙の特定領域にコーティング処理を行なう場合の用紙指定の変更を説明するための図）である。
【図１２】本発明の第３の実施の形態に係る画像形成システムを説明するための図（後処理が設定されている場合に用紙指定の変更を行なうか否かをユーザに問合わせる問合画面の一例を示す図）である。
【図１３】第２の実施の形態の変形例について説明するための図（記録用紙の特定領域にコーティング処理を行なう場合の用紙指定の変更を説明するための図）である。
【発明を実施するための形態】
【００１８】
以下の実施の形態では、同一の部品には同一の参照番号を付してある。それらの機能及び名称も同一である。したがって、それらについての詳細な説明は繰返さない。
【００１９】
（第１の実施の形態）
［全体構成］
図１を参照して、本実施の形態に係る画像形成システム５０の全体構成について説明する。この画像形成システム５０は、記録用紙に画像を形成する画像形成装置１００と、画像形成装置１００によって画像が形成された記録用紙に対してコーティング処理を行なうコーティング装置２００とを含む。コーティング装置２００は、画像形成装置１００の下流側に連結されている。画像形成装置１００は、画像形成が終了した記録用紙をコーティング装置２００に受け渡す。
【００２０】
本実施の形態に係る画像形成装置１００は、例えば、コピー機能、スキャナ機能、及び、プリンタ機能等を備えるＭＦＰ（Ｍｕｌｔｉｆｕｎｃｔｉｏｎ  Ｐｅｒｉｐｈｅｒａｌ）である。画像形成装置１００は、レーザー光を露光に利用する、所謂レーザー方式（電子写真方式）の印刷機能を備える。しかし、他の形式の印刷機能を備えたものであってもよい。画像形成装置１００はまた、記録用紙を収納する後述する給紙トレイを備える。給紙トレイは、画像形成装置１００内の図示しない搬送路に記録用紙を給紙する。給紙された記録用紙は、搬送路に沿って搬送されながら、画像形成装置１００においてその表面に画像が形成される。コーティング装置２００は、コーティングフィルム（「光沢フィルム」ともいう。）を用いて、画像が形成された記録用紙の表面にコーティング処理を行なう。
【００２１】
画像形成システム５０は、ユーザの様々な要求に応えるために、種々のサイズの記録用紙に対して処理可能な構成とされている。そのため、コーティングフィルムは、使用可能な最大サイズの記録用紙に対応可能な幅のものが用いられる。画像形成及びコーティング処理等の処理を行なう記録用紙は、当該処理を行なう前に指定される。記録用紙の指定には、同サイズの記録用紙の縦置き及び横置きの指定も含まれる。
【００２２】
図２及び図３を参照して、同サイズの記録用紙について、記録用紙の置き方及び記録用紙の方向について説明する。図２に示す記録用紙２０ａ及び図３に示す記録用紙２０ｂは、同サイズの記録用紙（例えばＡ４サイズの記録用紙）である。図２を参照して、記録用紙２０ａは、その長手方向が搬送方向と一致するように配置されている。このような置き方を横置き（Ｒ方向置き）と呼び、以下では、横置きのＡ４記録用紙を「Ａ４Ｒ用紙」と呼ぶ。図３を参照して、記録用紙２０ｂは、その短手方向が搬送方向と一致するように配置されている。すなわち、記録用紙２０ｂは、記録用紙２０ａ（図２参照）を９０度回転させた置き方である。このような置き方を縦置きと呼び、以下では、縦置きのＡ４記録用紙を「Ａ４用紙」と呼ぶ。
【００２３】
記録用紙の方向は、記録用紙２０ａ及び記録用紙２０ｂのいずれも、搬送方向を副走査方向とし、副走査方向と直交する方向を主走査方向とする。主走査方向は、フィルムの幅方向と一致する。さらに、図２に示す横置きの記録用紙２０ａ（例えばＡ４Ｒ用紙）では、短手方向がフィルムの幅方向と一致し、図３に示す縦置きの記録用紙２０ｂ（例えばＡ４用紙）では、長手方向がフィルムの幅方向と一致する。
【００２４】
本実施の形態では、コーティング処理を行なう際に、記録用紙の全面にコーティング処理を行なうよう設定されるものとする。記録用紙の全面にコーティング処理を行なう場合、コーティング処理が行なわれる領域は記録用紙の大きさとほぼ等しい。
【００２５】
図２（Ｂ）を参照して、横置きの記録用紙２０ａにコーティング処理を行なう場合、フィルムの幅のうち記録用紙２０ａに対応する範囲しかコーティングフィルム３００を使用しないため、コーティングフィルム３００における記録用紙２０ａの両側（フィルムの幅方向の両側）にコーティングに用いられない無駄な領域２２ａができる。図３（Ｂ）を参照して、縦置きの記録用紙２０ｂにコーティング処理を行なう場合も、コーティングフィルム３００における記録用紙２０ｂの両側（フィルムの幅方向の両側）にコーティングに用いられない無駄な領域２２ｂができる。しかし、縦置きの記録用紙２０ｂの場合、その長手方向がフィルムの幅方向と一致するため、無駄な領域２２ｂは、横置きの記録用紙２０ａの無駄な領域２２ａに比べて小さい。このように、同サイズの記録用紙を用いる場合であっても、用紙の配置（置き方）によって、コーティングフィルム３００の無駄になる領域の大きさが異なる。なお、図２（Ｂ）及び図３（Ｂ）では、コーティング処理が行なわれる領域であるコーティング領域がハッチングによって示されている。
【００２６】
画像形成システム５０においてコーティング処理を行なうよう設定されている場合、指定されている記録用紙によってはコーティングフィルム３００の無駄になる領域が大きくなる場合がある。そうした場合、無駄になる領域が小さくなるようユーザを補助するために、本画像形成システム５０は、コーティングフィルム３００の無駄になる領域がより小さくなる記録用紙に用紙指定を変更するようユーザに提案する。
【００２７】
［ハードウェア構成］
《画像形成装置１００》
図４を参照して、本実施の形態に係る画像形成装置１００は、制御部１１０、スキャナ部１２０、画像処理部１３０、画像形成部１４０、給紙装置１５０、ネットワークインターフェイス（以下「インターフェイス」を「Ｉ／Ｆ」と記す。）１６０、操作パネル１７０及び接続部１９０を含む。
【００２８】
制御部１１０は、実質的にコンピュータであって、ＣＰＵ（Ｃｅｎｔｒａｌ  Ｐｒｏｃｅｓｓｉｎｇ  Ｕｎｉｔ）１１２、ＲＯＭ（Ｒｅａｄ  Ｏｎｌｙ  Ｍｅｍｏｒｙ）１１４、ＲＡＭ（Ｒａｎｄｏｍ  Ａｃｃｅｓｓ  Ｍｅｍｏｒｙ）１１６及びＨＤＤ（Ｈａｒｄ  Ｄｉｓｋ  Ｄｒｉｖｅ）１１８を含む。ＣＰＵ１１２には、ＢＵＳライン１８０が接続されており、このＢＵＳライン１８０には、ＲＯＭ１１４、ＲＡＭ１１６及びＨＤＤ１１８が電気的に接続される。ＣＰＵ１１２は、操作パネル１７０等からの指示に応じて各種コンピュータプログラムを実行することによって、画像形成装置１００の各部の動作及び情報処理装置（図示せず。）等の外部機器との通信等の所望の処理を実行する。上記の各種コンピュータプログラムは、予めＲＯＭ１１４又はＨＤＤ１１８に記憶されており、所望の処理の実行時において、当該ＲＯＭ１１４又はＨＤＤ１１８から読出されてＲＡＭ１１６に転送される。ＣＰＵ１１２は、ＣＰＵ１１２内の図示しないプログラムカウンタと呼ばれるレジスタに格納された値によって指定される、ＲＡＭ１１６内のアドレスからプログラムの命令を読出し、解釈する。ＣＰＵ１１２はまた、読出された命令によって指定されるアドレスから演算に必要なデータを読出し、そのデータに対し命令に対応する演算を実行する。実行の結果も、ＲＡＭ１１６、ＨＤＤ１１８及びＣＰＵ１１２内のレジスタ等の、命令によって指定されるアドレスに格納される。
【００２９】
ＨＤＤ１１８には、画像形成装置１００の一般的な動作を実現するためのコンピュータプログラムが記憶される。このコンピュータプログラムは、ネットワーク及びネットワークＩ／Ｆ１６０を介して、情報処理装置等から提供される。なお、このコンピュータプログラムは、そのコンピュータプログラムが記録された、例えばＤＶＤ等の記憶媒体によって提供されてもよい。すなわち、コンピュータプログラムの記録媒体としてのＤＶＤが、画像形成装置１００内に内蔵されるＤＶＤドライブ（図示せず。）に装着され、そのＤＶＤからコンピュータプログラムが読出されてＨＤＤ１１８にインストールされてもよい。ＨＤＤ１１８は、他に、コンピュータに本実施の形態に係る画像形成システム５０におけるコンピュータとして機能させるためのコンピュータプログラム、及び画像データ等を含む各種データを記憶する。
【００３０】
ＢＵＳライン１８０には、さらに、スキャナ部１２０、画像処理部１３０、画像形成部１４０、給紙装置１５０、ネットワークＩ／Ｆ１６０、操作パネル１７０及び接続部１９０が電気的に接続される。
【００３１】
スキャナ部１２０は、原稿検知センサ及びＣＣＤ（Ｃｈａｒｇｅ−Ｃｏｕｐｌｅｄ  Ｄｅｖｉｃｅ）ラインセンサ（以上いずれも図示せず。）を含む。原稿検知センサは、ユーザによって手動で、又は、自動原稿搬送装置（図示せず。）によって、原稿載置台（図示せず。）上に載置された原稿の画像表面に対し光源（図示せず。）から光を照射することによって得られる反射光像をＣＣＤラインセンサ上に結像させる。ＣＣＤラインセンサは、結像された反射光像を順次光電変換して画像データとして画像処理部１３０に対して出力する。すなわち、スキャナ部１２０は、原稿のコピー時又はスキャン時に、原稿載置台に載置される原稿から原稿検知センサによって画像情報を読取り、読取った画像情報をＣＣＤラインセンサによって電気信号に変換して画像データとして画像処理部１３０に対して出力する。
【００３２】
画像処理部１３０は、ＭＰＵ（Ｍｉｃｒｏ  Ｐｒｏｃｅｓｓｉｎｇ  Ｕｎｉｔ、図示せず。）を含む。画像処理部１３０は、スキャナ部１２０、又は、情報処理装置等から受信した画像データに対して、例えば、ラスタライズ処理等の所定の画像処理を含む各種処理を施して所定の階調の印刷データを作成し、画像形成部１４０に対して出力する。
【００３３】
画像形成部１４０は、印刷データによって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１４０には、例えば、搬送路が設けられており、給紙装置１５０から給紙されてきた記録用紙が搬送路に沿って搬送される。画像形成部１４０の搬送路に沿って記録用紙が搬送されている途中で、記録用紙が感光体ドラムと転写装置との間を通過し、更に定着装置を通過して、記録用紙に対する印刷が行なわれる。
【００３４】
感光体ドラムは、一方向に回転し、その表面は、クリーニング装置と除電装置によりクリーニングされた後、帯電装置により均一に帯電される。レーザースキャンユニットは、印刷対象の印刷データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００３５】
定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は、図示しない排紙トレイに排出される。記録用紙に対してクリアコーティングを行なうよう設定されている場合は、定着装置から排出された（印刷された）記録用紙はコーティング装置２００へと搬送される。
【００３６】
給紙装置１５０は、記録用紙を収納する用紙収納部として機能するとともに記録用紙を複数枚積載可能な給紙トレイ１５２と、図示しない手差トレイとを含む。給紙装置１５０は、給紙トレイ１５２に収納された記録用紙、又は手差トレイに載置された記録用紙を１枚ずつ引出して記録用紙を画像形成部１４０の搬送路へと送り出す。
【００３７】
本実施の形態では、給紙トレイ１５２は少なくとも２つの給紙トレイを含む。２つの給紙トレイは、それぞれ、同サイズの記録用紙を縦置き及び横置き（Ｒ方向置き）でセットすることが可能に構成されている。
【００３８】
ネットワークＩ／Ｆ１６０は、ネットワークとのインターフェイスをとる。画像形成装置１００は、このネットワークＩ／Ｆ１６０を介して、ネットワーク上の情報処理装置等と、所定の通信プロトコルに従ったデータ通信を行なうことができる。画像形成装置１００は、ネットワークＩ／Ｆ１６０を介して、情報処理装置から印刷ジョブ等の各種処理の実行を命令する命令信号を受信することができる。
【００３９】
操作パネル１７０は、タッチパネルディスプレイ１７２を含む。タッチパネルディスプレイ１７２は、例えば、表示パネル１７４とタッチパネル１７６とが重ねて構成されるタッチパネル一体型液晶表示装置である。表示パネル１７４は、画像形成装置１００の状態及び各種処理の状態に関する情報等の各種情報をユーザに提供する。このタッチパネルディスプレイ１７２はまた、ユーザに対して対話的な操作インターフェイス（ユーザインターフェイス）を提供する。この対話的な操作インターフェイスは、タッチパネル１７６から画像形成装置１００全体の動作に対するユーザの指示を受付け、その指示の内容を表示パネル１７４に表示するとともに、その指示に応じた制御信号を制御部１１０又は画像処理部１３０のＭＰＵに対して出力する。タッチパネルディスプレイ１７２はまた、画像データが表わす画像をプレビュー表示する。
【００４０】
操作パネル１７０はまた、各種機能の設定のためにユーザによる操作を受付ける。機能の設定は、コーティング処理の設定、及び記録用紙の指定を含む。コーティング処理の設定は、コーティング機能を付加するか否かの設定（コーティング処理を行なうか否かの設定）、コーティング機能を付加する設定の場合に、記録用紙の全面にコーティング処理を行なうか、それとも記録用紙の特定領域にコーティング処理を行なうかの設定等を含む。記録用紙の特定領域は、例えば写真領域、及び図形領域等の領域を含む。なお、ユーザによる記録用紙の指定がない場合は、デフォルトの記録用紙（給紙トレイ）が指定される。制御部１１０は、こうした設定に基づいて、指定された記録用紙に対してコーティング処理が行なわれる領域を検出する。
【００４１】
接続部１９０は、制御部１１０の制御にしたがって外部装置（本実施の形態ではコーティング装置２００）との接続を提供するインターフェイスである。本実施の形態では、画像形成装置１００は、接続部１９０を介してコーティング装置２００と電気的に接続される。
【００４２】
《コーティング装置２００》
図５を参照して、コーティング装置２００は、画像が形成された記録用紙に対してコーティング処理を行なうコーティングユニット２１０と、コーティングユニット２１０の駆動を制御するコーティング制御部２５０とを含む。
【００４３】
図６を参照して、コーティングユニット２１０は、記録用紙の搬送経路を挟んで対向して配置されるプラテンローラ２１２と局所加熱装置であるサーマルヘッド２１４とを含む。サーマルヘッド２１４は、記録用紙の搬送方向と略直交する方向（コーティングフィルム３００の幅方向）に沿って配列された複数の発熱体（加熱部）を含む。複数の発熱体は、後述する処理領域データに応じて選択的に発熱する。
【００４４】
コーティングユニット２１０はさらに、コーティングフィルム３００を供給するためにコーティングフィルム３００が予め巻回される供給軸２１６、供給されたコーティングフィルム３００を巻き取る巻取軸２１８、第１搬送ローラ対２２０、第２搬送ローラ対２２２、第１ピンチローラ２２４、第２ピンチローラ２２６、第１補助ローラ２２８、及び第２補助ローラ２３０を含む。第１搬送ローラ対２２０及び第２搬送ローラ対２２２は、記録用紙を搬送する。コーティングユニット２１０はさらに、巻取軸２１８、第１搬送ローラ対２２０、第２搬送ローラ対２２２、及びプラテンローラ２１２を駆動するローラ駆動部２４０（図５参照）を含む。
【００４５】
コーティングフィルム３００は、例えばポリエチレンテレフタレート（ＰＥＴ）等からなるフィルム基材上に、スチレン等からなるコーティング樹脂層を積層したフィルムからなる。コーティングフィルム３００は、コーティング樹脂層側の面が記録用紙と対向するように取付けられる。コーティング装置２００では、記録用紙の搬送途中に当該記録用紙とコーティングフィルム３００とが重ね合わされて、サーマルヘッド２１４とプラテンローラ２１２との間に導かれる。記録用紙及びコーティングフィルム３００は、サーマルヘッド２１４とプラテンローラ２１２とによって加圧されながら加熱される。これにより、コーティングフィルム３００のコーティング樹脂が記録用紙の表面に密着し、コーティング処理される。
【００４６】
再び図５を参照して、サーマルヘッド２１４の駆動は、コーティング制御部２５０によって制御される。コーティング制御部２５０は、処理領域データに基づいてサーマルヘッド２１４の複数の発熱体を選択的に発熱させる。処理領域データは、コーティング処理を行なう領域を指定するためのデータであり、例えば、コーティング機能を付加する設定がされた際に、画像形成装置１００から送信される。処理領域データに基づいてサーマルヘッド２１４の複数の発熱体を選択的に発熱させることにより、記録用紙の所望の領域にコーティング処理を行なうことができる。
【００４７】
［ソフトウェア構成］
図７を参照して、本実施の形態に係る画像形成システム５０において、コーティングフィルムの無駄になる領域がより小さくなる記録用紙の使用方法をユーザに提案するために、画像形成装置１００で実行されるコンピュータプログラムの制御構造について説明する。以下では、コーティング機能を使用する設定にされた場合、記録用紙の全面にコーティング処理を行なうよう設定されるものとする。このプログラムは、コピー印刷モード又は印刷モード等の画像形成を行なう機能が選択されることによって起動される。
【００４８】
このプログラムは、設定に変化があるか否かを判定し、設定に変化があるまで待機するステップＳ１０００と、ステップＳ１０００において、設定に変化があると判定された場合に実行され、コーティング機能を付加する設定にされているか否かを判定し、判定結果に応じて制御の流れを分岐させるステップＳ１０１０と、ステップＳ１０１０において、コーティング機能を付加する設定にされていると判定された場合に実行され、給紙トレイの指定があるか否かを判定し、判定結果に応じて制御の流れを分岐させるステップＳ１０２０とを含む。ステップＳ１０１０において、コーティング機能を付加する設定にされていないと判定された場合は、制御はステップＳ１０００に戻る。
【００４９】
このプログラムはさらに、ステップＳ１０２０において、給紙トレイの指定がないと判定された場合に実行され、デフォルトの給紙トレイを指定するステップＳ１０３０と、ステップＳ１０２０において、給紙トレイの指定があると判定された場合、及びステップＳ１０３０の後に実行され、指定されている記録用紙の副走査方向（搬送方向）の長さが主走査方向の長さ（搬送方向と直交する方向の長さ）より長いか否か（すなわち、コーティング処理が行なわれる領域の副走査方向の長さが主走査方向の長さより長いか否か）を判定し、判定結果に応じて制御の流れを分岐させるステップＳ１０４０と、ステップＳ１０４０において、指定されている記録用紙の副走査方向の長さが主走査方向の長さより長いと判定された場合に実行され、指定されている記録用紙を９０度回転させた置き方（縦置き）の記録用紙がセットされているか否かを判定し、判定結果に応じて制御の流れを分岐させるステップＳ１０５０とを含む。ステップＳ１０４０では、例えば、指定されている記録用紙が縦置きの記録用紙か横置きの記録用紙かを判定する。ステップＳ１０４０において、指定されている記録用紙の副走査方向の長さが主走査方向の長さより長くない（主走査方向の長さの方が副走査方向の長さより長い）と判定された場合は、制御はステップＳ１０００に戻る。
【００５０】
このプログラムはさらに、ステップＳ１０５０において、指定されている記録用紙を９０度回転させた置き方（縦置き）の記録用紙がセットされていると判定された場合に実行され、縦置きの記録用紙を指定するようユーザに提案するステップＳ１０６０と、ステップＳ１０５０において、指定されている記録用紙を９０度回転させた置き方の記録用紙がセットされていないと判定された場合に実行され、縦置きの記録用紙をセットして、セットした給紙トレイを指定するようユーザに提案するステップＳ１０７０とを含む。ステップＳ１０６０及びステップＳ１０７０の処理が終了すると制御はステップＳ１０００に戻る。
【００５１】
［動作］
本実施の形態に係る画像形成システム５０は以下のように動作する。以下の説明では、画像形成システム５０の動作の内、本発明に関連する部分のみを説明する。他の動作は従来の画像形成システムの動作と同様である。
【００５２】
コピー印刷又は印刷等によって画像形成を行なった後に、画像形成された記録用紙にコーティング処理を行なう場合、ユーザは、画像形成を行なう前に画像形成装置１００においてコーティング機能を付加するよう設定する（図７に示すステップＳ１０１０においてＹＥＳ）。本実施の形態では、ユーザは、記録用紙の全面にコーティング処理を行なうよう設定するものとする。画像形成装置１００（画像形成システム５０）は、画像形成を行なう記録用紙（給紙トレイ）が指定されているか否かを判定する（ステップＳ１０２０）。給紙トレイが指定されていない場合、画像形成システム５０はデフォルトの給紙トレイを指定する（ステップＳ１０３０）。画像形成システム５０は、指定された給紙トレイの記録用紙が、主走査方向の長さより副走査方向の長さの方が長いか否かを判定する（ステップＳ１０４０）。すなわち、画像形成システム５０は、指定されている記録用紙が縦置きの記録用紙か横置きの記録用紙かを判定する。
【００５３】
指定されている記録用紙が例えばＡ４Ｒ用紙（横置きの記録用紙）であるとする。Ａ４Ｒ用紙は、副走査方向の長さの方が主走査方向の長さより長い。この場合、画像形成システム５０は、Ａ４用紙（縦置きの記録用紙）がセットされた給紙トレイがあるか否かを判定する（ステップＳ１０５０）。Ａ４用紙がセットされた給紙トレイがあると判定された場合、画像形成システム５０は、操作パネル１７０のタッチパネルディスプレイ１７２に図８に示す通知画面４００を表示して、縦置き（縦置き用紙）をユーザに提案する（ステップＳ１０６０）。ここでは、画像形成装置１００には例えばトレイ１及びトレイ２の２つの給紙トレイが装着されており、トレイ１にはＡ４用紙が、トレイ２にはＡ４Ｒ用紙がセットされているものとする。
【００５４】
図８を参照して、通知画面４００は、「Ａ４用紙（トレイ１）を使用すると、光沢フィルムの消費を抑えられます。給紙トレイをトレイ１に変更しますか？」との文字列を表示するテキスト領域４１０と、給紙トレイをトレイ１に変更して通知画面４００を閉じるための「Ｙｅｓ」ボタン４２０と、給紙トレイをトレイ１に変更せずに通知画面４００を閉じるための「Ｎｏ」ボタン４３０とを含む。画像形成システム５０は、ユーザによる「Ｙｅｓ」ボタン４２０の操作を受付けると、給紙トレイをトレイ１に変更する処理を実行し、通知画面４００の表示を終了する。画像形成システム５０はまた、ユーザによる「Ｎｏ」ボタン４３０の操作を受付けると、給紙トレイをトレイ１に変更することなく、通知画面４００の表示を終了する。
【００５５】
一方、Ａ４用紙がセットされた給紙トレイがないと判定された場合（例えば、トレイ１にはＡ４用紙ではなくＢ４用紙がセットされており、トレイ２にはＡ４Ｒ用紙がセットされている場合）、画像形成システム５０は、操作パネル１７０のタッチパネルディスプレイ１７２に図９に示す通知画面５００を表示して、縦置きの用紙をセットしてその給紙トレイを指定するようユーザに提案する（ステップＳ１０７０）。
【００５６】
図９を参照して、通知画面５００は、「Ａ４用紙を使用すると、光沢フィルムの消費を抑えられます。使用する場合は、給紙トレイにＡ４用紙をセットして、給紙トレイの設定を変更してください。」との文字列を表示するテキスト領域５１０と、この通知画面５００を閉じるための「ＯＫ」ボタン５２０とを含む。画像形成システム５０は、ユーザによる「ＯＫ」ボタン５２０の操作を受付けると、通知画面５００の表示を終了する。
【００５７】
ユーザによって、指定されている記録用紙が、画像形成システム５０の提案にしたがった記録用紙に変更されると、その後、画像形成処理及びコーティング処理を実行した際に、コーティングフィルム３００が効率よく利用される。
【００５８】
［本実施の形態の効果］
以上の説明から明らかなように、本実施の形態に係る画像形成システム５０を利用することにより、以下に述べる効果を奏する。
【００５９】
指定されている記録用紙において、コーティング処理が行なわれる領域（記録用紙の全面にコーティング処理を行なうよう設定される場合、その領域は記録用紙の大きさとほぼ等しい）の副走査方向の長さが主走査方向の長さより長い場合、その領域（記録用紙）は、コーティングフィルム３００の幅方向の長さより搬送方向の長さの方が長くなる。この記録用紙を用いてコーティング処理を行なうと、コーティングフィルム３００の幅方向においてコーティング処理に利用されない領域が大きくなる。すなわち、コーティングフィルム３００の無駄になる割合が大きくなる。このような場合、画像形成システム５０は、指定されている記録用紙を９０度回転させた置き方の記録用紙を指定するよう用紙指定の変更をユーザに提案する。ユーザが用紙指定を変更することにより、指定されている記録用紙はコーティングフィルム３００の幅方向の長さが搬送方向の長さより長くなる。変更後の記録用紙を用いてコーティング処理を行なうことにより、コーティングフィルム３００の幅方向におけるコーティング処理に利用されない領域を小さくできる。すなわち、コーティングフィルム３００の無駄になる割合を低減できる。これにより、コーティングフィルム３００を効率よく利用できる。さらに、コーティングフィルム３００を効率的に利用するために、別途、他の装置（例えば、レジストローラを搬送方向と直交する方向にシフトさせるための移動装置、センサ等）を設ける必要がない。このため、構造が複雑化することもない。したがって、構造が複雑化することなく、コーティングフィルム３００のランニングコストを低減できる。その結果、システムのコストパフォーマンスを向上できる。
【００６０】
（第２の実施の形態）
本実施の形態に係る画像形成システムは、第１の実施の形態に係る画像形成システム５０と同様である。ただし、本実施の形態は、記録用紙の特定領域にコーティング処理を行なうよう設定されている場合にも、コーティングフィルムの無駄になる領域が小さくなるようにユーザを補助する点において、上記第１の実施の形態とは異なる。
【００６１】
本画像形成システムにおいて、特定領域は、ユーザによって指定、又は画像処理（例えば領域分離処理等）によって自動で指定される。ユーザによってコーティング機能を付加するよう設定されると、画像形成システムは、指定された特定領域にコーティング処理を行なう。したがって、特定領域は、コーティング処理が行なわれる領域でもある。以下では、特定領域を矩形状の領域として示すが、特定領域は矩形状に限定されるものではない。特定領域は、円形状、楕円形状等を含む任意の形状にできる。
【００６２】
画像形成を行なう前に、ユーザによってコーティング機能を付加するよう設定されると、画像形成システムは、特定領域の指定に基づいてコーティング処理を行なう領域を検出する。画像形成システムはさらに、指定されている記録用紙に対する特定領域の副走査方向の長さと主走査方向の長さとを比較して、副走査方向の長さが主走査方向の長さより長いか否かを判定する。
【００６３】
図１０を参照して、画像形成を行なう記録用紙として例えばＡ４Ｒ用紙が指定されているものとする。記録用紙には、一部の領域がコーティング処理を行なう領域（特定領域３０）として指定されている。特定領域３０の長手方向をＬ、短手方向をＷとする。図１０（Ａ）を参照して、指定されている記録用紙がＡ４Ｒ用紙の場合、特定領域３０の長手方向Ｌは副走査方向と平行となり、短手方向Ｗは主走査方向と平行となる。このような場合、本画像形成システムは、特定領域３０の長手方向Ｌが主走査方向と平行となるような記録用紙の指定をユーザに提案する。
【００６４】
具体的には、図１０（Ｂ）を参照して、画像形成システムは、指定されている記録用紙を９０度回転させた置き方の記録用紙（Ａ４用紙）を指定するよう用紙指定の変更をユーザに提案する。こうした記録用紙を指定することにより、特定領域３０も９０度回転するため、特定領域３０の長手方向Ｌが主走査方向と平行となる。
【００６５】
一方、図１１を参照して、指定されている記録用紙に対する特定領域３２において、その長手方向Ｌが主走査方向と平行となる場合、画像形成システムは、用紙指定の変更の提案をすることなく、処理を実行する。
【００６６】
さらに、１枚の記録用紙に対して複数の特定領域が指定されている場合、画像形成システムは、各特定領域の長手方向の長さを比較し、複数の特定領域全体として副走査方向の長さの方が主走査方向の長さより長いか否かを判定する。具体的には、画像形成システムは、複数の特定領域のうち、長手方向の長さが最も長い特定領域を検出する。画像形成システムはさらに、検出した特定領域が複数の特定領域全体を代表するものとし、指定されている記録用紙に対して検出した特定領域の副走査方向の長さの方が主走査方向の長さより長いか否かを判定する。画像形成システムは、検出した特定領域の副走査方向の長さの方が主走査方向の長さより長い場合、指定されている記録用紙を９０度回転させた置き方の記録用紙を指定するよう用紙指定の変更をユーザに提案する。これにより、各特定領域におけるコーティングフィルムの無駄になる領域が互いに比較されて、無駄になる領域がより小さくなる記録用紙を提案できる。
【００６７】
指定されている記録用紙において、コーティング処理が行なわれる領域（特定領域）の副走査方向の長さが主走査方向の長さより長い場合、その領域は、コーティングフィルム３００の幅方向の長さより搬送方向の長さの方が長くなる。この記録用紙を用いてコーティング処理を行なうと、コーティングフィルム３００の幅方向においてコーティング処理に利用されない領域が大きくなる。すなわち、コーティングフィルム３００の無駄になる割合が大きくなる。このような場合、本画像形成システムは、指定されている記録用紙を９０度回転させた置き方の記録用紙を指定するよう用紙指定の変更をユーザに提案する。ユーザが用紙指定を変更することにより、コーティング処理が行なわれる領域も９０度回転するため、当該領域はコーティングフィルム３００の幅方向の長さが搬送方向の長さより長い状態となる。変更後の記録用紙を用いてコーティング処理を行なうことにより、コーティングフィルム３００の幅方向におけるコーティング処理に利用されない領域を小さくできる。すなわち、コーティングフィルム３００の無駄になる割合を低減できる。これにより、コーティングフィルム３００を効率よく利用できる。さらに、コーティングフィルム３００を効率的に利用するために、別途、他の装置（例えば、レジストローラを搬送方向と直交する方向にシフトさせるための移動装置、センサ等）を設ける必要がない。このため、構造が複雑化することもない。したがって、構造が複雑化することなく、コーティングフィルム３００のランニングコストを低減できる。その結果、システムのコストパフォーマンスを向上できる。
【００６８】
（第３の実施の形態）
本実施の形態に係る画像形成システムは、第１及び第２の実施の形態に係る画像形成システムと同様である。ただし、本実施の形態は、コーティング装置の下流側に、ステープル処理又はパンチ処理等の後処理を行なう後処理装置が連結されている点において、上記第１及び第２の実施の形態とは異なる。
【００６９】
画像形成システムが提案する用紙指定の変更に応じて、ユーザが、記録用紙の置き方（用紙指定）を変更する走査を行なった場合、縦置きの記録用紙（縦長用紙）と横置きの記録用紙（横長用紙）とが混在する場合がある。例えば、複数ページの画像データを連続して処理する場合であって、複数ページの一部のページのみにコーティング処理を行なう場合、コーティング処理を行なうページのみ用紙指定が変更されると、縦置きの記録用紙（縦長用紙）と横置きの記録用紙（横長用紙）とが混在する。この場合、後処理を行なうのが困難になる。
【００７０】
このような場合、本実施の形態に係る画像形成システムは、画像形成を実行する前に、記録用紙の置き方を変更しないで画像形成を行ない後処理を行なうか、後処理を行なうことができなくても記録用紙の置き方を変更してコーティングフィルム（光沢フィルム）の無駄を省くのを優先するかをユーザに問合わせる。
【００７１】
ここで、画像形成システム（画像形成装置）には、例えばトレイ１及びトレイ２の２つの給紙トレイが装着されており、トレイ１にはＡ４用紙が、トレイ２にはＡ４Ｒ用紙がセットされているものとする。
【００７２】
縦置きの記録用紙と横置きの記録用紙とが混在する可能性がある場合、画像形成システムは図１２に示す問合画面６００を表示して、ユーザに後処理を実行するか（給紙トレイを変更するか）否かを問合わせる。図１２を参照して、問合画面６００は、「Ａ４用紙（トレイ１）を使用すると、光沢フィルムの消費を抑えられますが、後処理（パンチ、ステープル）解除になります。給紙トレイをトレイ１に変更（後処理解除）しますか？」との文字列を表示するテキスト領域６１０と、後処理を解除するとともに給紙トレイをトレイ１に変更し、この問合画面６００を閉じるための「Ｙｅｓ」ボタン６２０と、給紙トレイをトレイ１に変更せずにこの問合画面６００を閉じるための「Ｎｏ」ボタン６３０とを含む。
【００７３】
画像形成システムは、ユーザによる「Ｙｅｓ」ボタン６２０の操作を受付けると、給紙トレイをトレイ１に変更する処理を実行するとともに後処理を解除する処理を実行し、問合画面６００の表示を終了する。一方、画像形成システムは、ユーザによる「Ｎｏ」ボタン６３０の操作を受付けると、給紙トレイをトレイ１に変更することなく（後処理を解除することなく）、問合画面６００の表示を終了する。
【００７４】
（第４の実施の形態）
上記実施の形態では、用紙指定の変更を提案する提案処理を画像形成装置が実行する例について示したが、本発明はそのような実施の形態には限定されない。例えば、画像形成システムを、ネットワークを介して接続された情報処理装置（例えばパーソナルコンピュータ）を含む構成とし、実施の形態で示した提案処理を情報処理装置（例えばプリンタドライバ）で実行するようにしてもよい。
【００７５】
（第５の実施の形態）
上記実施の形態において、複数のページを含む画像データを連続して印刷（画像形成）する場合、ページ単位で、コーティングフィルムの無駄になる領域がより小さくなる置き方の記録用紙を提案するようにしてもよい。さらに、本画像形成システムの提案にしたがったユーザの操作に基づいて、コーティング処理を行なうページのみ、無駄が少なくなる置き方の記録用紙に自動的に変更するように構成してもよい。さらに、記録用紙の指定を全てのページに対して一括で変更するように構成してもよい。この場合、コーティング処理を行なう全てのページから、コーティングフィルムの無駄になる領域がより小さくなる置き方の記録用紙を判定し、判定結果に応じてユーザに提案するようにしてもよい。
【００７６】
（第６の実施の形態）
上記第２の実施の形態では、１枚の記録用紙に複数の特定領域が指定された場合に、長手方向の長さが最も長い特定領域を用いて、特定領域の副走査方向の長さの方が主走査方向の長さより長いか否かを判定する例について示したが、本発明はそのような実施の形態には限定されない。例えば、複数の特定領域に外接する領域に関して、副走査方向の長さの方が主走査方向の長さより長いか否かを判定するようにしてもよい。図１３を参照して、例えば、１枚の記録用紙に特定領域３４と特定領域３６とが指定されているものとする。この場合、特定領域３４及び特定領域３６に外接する矩形状の領域を仮想的な特定領域３８とし、この仮想的な特定領域３８に対して、副走査方向の長さの方が主走査方向の長さより長いか否かを判定するようにしてもよい。
【００７７】
（第７の実施の形態）
上記第３の実施の形態において、画像形成システムは、コーティング装置から出力された記録用紙の向きを揃える回転機構（回転装置）を備える構成であってもよい。このような回転機構を備えることによって、縦置きの記録用紙と横置きの記録用紙とが混在する可能性がある場合でも後処理を実行できる。これにより、画像形成システムの提案にしたがって給紙トレイを変更（用紙指定を変更）する場合でも、後処理の解除が不要となる。
【００７８】
（変形例）
上記実施の形態では、画像形成装置の一例であるＭＦＰに本発明を適用した例について示したが、本発明はそのような実施の形態には限定されない。印刷機能を備えていれば、画像形成装置はＭＦＰ以外であってもよい。例えば、コピー機等の画像形成装置であってもよいし、プリンタ等の画像形成装置であってもよい。
【００７９】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００８０】
５０                            画像形成システム
１００                          画像形成装置
１１０                          制御部
１２０                          スキャナ部
１３０                          画像処理部
１４０                          画像形成部
１５０                          給紙装置
１５２                          給紙トレイ
１７０                          操作パネル
２００                          コーティング装置
３００                          コーティングフィルム
４００、５００、６００          通知画面
【図１】
2015020327.tif 000003
【図２】
2015020327.tif 000004
【図３】
2015020327.tif 000005
【図４】
2015020327.tif 000006
【図５】
2015020327.tif 000007
【図６】
2015020327.tif 000008
【図７】
2015020327.tif 000009
【図８】
2015020327.tif 000010
【図９】
2015020327.tif 000011
【図１０】
2015020327.tif 000012
【図１１】
2015020327.tif 000013
【図１２】
2015020327.tif 000014
【図１３】
2015020327.tif 000015